(57)【要約】【課題】  内部構成品のメンテナンス作業が容易に行なえる空気清浄機を提供する。【解決手段】  空気清浄機１００Ａは、前面１１１に吸込口１２１を有するケーシング１１０と、このケーシング１１０の前面１１１に着脱自在に取り付けられる前面パネル１３０と、ケーシング１１０の内部に配置され、通過する空気を清浄化するフィルタと、ケーシング１１０の内部において、吸込口１１１から見てフィルタよりも後方に配置された送風ファン１５１とを備える。フィルタと送風ファン１５１との間には、ケーシング１１０の内部を前方空間と後方空間とに分割する仕切り板１１５が設けられる。仕切り板１１５は、吸込口１２１を通じて着脱可能に構成されている。また、ケーシング１１０の前面１１１には掛止部１１９が設けられており、前面パネル１３０の裏面には掛止部１１９によって掛止される線材１３２が回動自在に設けられている。【選択図】        図１６
2005076904.tif 000002
【特許請求の範囲】
【請求項１】
前面に第１開口部を有するケーシングと、
前記ケーシングの内部に配置され、通過する空気を清浄化するフィルタと、
前記ケーシングの内部において、前記第１開口部から見て前記フィルタよりも後方に配置された送風ファンと、
前記フィルタと前記送風ファンとの間に配置され、前記ケーシングの内部を前方空間と後方空間とに分割するとともに、前記送風ファンに対向する位置に前記前方空間と前記後方空間とを連通する連通孔が設けられてなる仕切り板とを備え、
前記仕切り板が、前記第１開口部を通じて着脱可能となっている、空気調節装置。
【請求項２】
前記仕切り板は、前記送風ファンに対向する位置に設けられた第２開口部と、前記第２開口部を覆うように前方から取り付けられてなるファンガードとを有し、
前記ファンガードに前記連通孔が設けられている、請求項１に記載の空気調節装置。
【請求項３】
前記送風ファンが、前記第１開口部を通じて着脱可能となっている、請求項１または２に記載の空気調節装置。
【請求項４】
前記送風ファンを駆動するための駆動源を前記ケーシング内部に備え、
前記駆動源が、前記第１開口部を通じで着脱可能となっている、請求項１から３のいずれかに記載の空気調節装置。
【請求項５】
前記後方空間に配置され、前記後方空間を通過する空気に向かってイオンを放出するイオン発生装置をさらに備え、
前記イオン発生装置が、前記第１開口部を通じで着脱可能となっている、請求項１から４のいずれかに記載の空気調節装置。
【請求項６】
前記仕切り板は、前記イオン発生装置に対向する位置に設けられた第３開口部を有し、
前記第３開口部を覆うように、前記仕切り板に前方からカバーが取り付けられている、請求項５に記載の空気調節装置。
【請求項７】
前面に第１開口部を有するケーシングと、
前記ケーシングの内部に配置され、通過する空気を清浄化するフィルタと、
前記ケーシングの前面に着脱自在に取り付けられる前面パネルとを備え、
前記前面パネルは、前記前面パネルを前記ケーシングに装着した状態において、前記第１開口部を閉塞し、前記前面パネルを前記ケーシングから取り外した状態において、前記第１開口部を開放するように設けられ、
前記前面パネルを前記ケーシングから取り外した状態において、前記前面パネルを前記ケーシングに掛止することが可能な掛止手段をさらに備えた、空気調節装置。
【請求項８】
前記掛止手段は、前記ケーシングの前面に設けられた掛止部と、前記前面パネルの裏面に設けられた被掛止部とからなる、請求項７に記載の空気調節装置。
【請求項９】
前記被掛止部は、前記前面パネル対して回動自在に組み付けられている、請求項８に記載の空気調節装置。
【発明の詳細な説明】
【技術分野】
【０００１】
本発明は、空気調節装置に関し、特に、室内の空気を清浄化する空気清浄機能を備えた空気調節装置に関する。
【背景技術】
【０００２】
室内の空気の温度や湿度、汚染度をコントロールする装置として空気調節装置が知られている。この空気調節装置においては、室内の空気を装置内部に取り込み、取り込まれた空気の物性を変化させて所望の状態の空気とした後、装置外部へと処理後の空気を吹き出す仕組みとなっている。特に、近年の住環境の変化に伴い、室内の空気の汚染度を改善する空気清浄機能を備えた空気調節装置（以下、空気清浄機と称する。）が注目を浴びている。
【０００３】
空気清浄機には、電気集塵フィルタを用いた電気集塵式の空気清浄機（たとえば、特開平１１−９４２８２号公報（特許文献１）参照）と、ＨＥＰＡ（High Efficiency Particulate Air）フィルタなどのフィルタを用いたいわゆるフィルタ式の空気清浄機（たとえば、特開２００２−１０２３２７号公報（特許文献２）参照）とがある。電気集塵式の空気清浄機は、集塵能力は高いものの電気集塵フィルタに付着した埃や塵などを除去するメンテナンス作業が煩雑であり、専門のメンテナンス作業者を必要とするため、病院やオフィスなど一部の施設に適用が制限される問題がある。これに対し、フィルタ式の空気清浄機では、装置本体からフィルタを容易に取り外すことができるため、フィルタに付着した埃や塵の除去といったメンテナンス作業が容易に行なえ、一般家庭やホテルの客室等に設置するのに好適である。
【０００４】
従来より、上述の如くの集塵機能や脱臭機能を備えた空気清浄機は広く普及している。しかし近年、これらの機能に加えて人体に有害な浮遊細菌を制菌または殺菌する機能を併せ備えた空気清浄機が急速に普及しつつある（たとえば、上記特許文献２参照）。ここで、「制菌」とは、繊維状のフィルタに付着した菌の増殖を抑制することをいう。また、「殺菌」とは、微生物を死滅させ、その絶対数を減少させることをいう。
【０００５】
浮遊細菌を制菌または殺菌する機能を併せ備えた空気清浄機にあっては、集塵機能、脱臭機能および制菌機能は、筐体内部に配置された各種フィルタによって発揮される。また、殺菌機能は、正イオンと負イオンとを発生させるイオン発生装置を筐体内部の通風路内に設置することによって発揮される。なお、このイオン発生装置を用いて空気中の負イオン濃度を増加させた場合には、リラクゼーション効果を得ることも可能である。
【０００６】
図１８は、従来のフィルタ式の空気清浄機を前面側から見た概略斜視図である。また、図１９は、図１８に示す従来のフィルタ式空気清浄機のＸＩＸ−ＸＩＸ線に沿った概略縦断面図である。なお、図示する従来のフィルタ式空気清浄機２００は、床面上や卓上に設置されるタイプの空気清浄機である。
【０００７】
図１８および図１９に示すように、フィルタ式の空気清浄機２００は、ケーシング２１０と、ケーシング２１０の前面２１１に取り付けられた前面パネル２３０とを備える。この空気清浄機２００の主要部は、ケーシング２１０内に納められている。前面パネル２３０は、ケーシング２１０の前面２１１に位置する吸込口２２１を覆うように取り付けられている。ケーシング２１０の上面２１２には、吹出口２２５が設けられている。吹出口２２５には、空気清浄機２００から送風される空気の風向きを整えるルーバ２１６が設けられている。なお、ケーシング２１０の上面２１２には、空気清浄機２００の動作を切換えるための操作部２８１が設けられており、前面パネル２３０の上部には、動作状態等を表示する表示部２８２が設けられている。
【０００８】
図１９に示すように、ケーシング２１０内部には、仕切り板２１５が位置している。ケーシング２１０の内部空間は、この仕切り板２１５によって前方空間２２２と後方空間２２４とに分割されている。仕切り板２１５には、前方空間２２２と後方空間２２４とを連通する連通孔２２３が設けられている。
【０００９】
吸込口２２１の後方でかつ仕切り板２１５の前方に位置する前方空間２２２には、各種フィルタが積層保持されたフィルタ組品２４０が配置されている。仕切り板２１５の後方でかつケーシング２１０の背面２１３の前方に位置する後方空間２２４には、送風ファン２５１とこの送風ファン２５１を駆動するモータ２５２が配置されている。送風ファン２５１は、ビス２５３によってモータ２５２の回転軸に固定されている。モータ２５２は、モータアングル２５４によって保持されており、モータアングル２５４は、ビス２５５によって仕切り板２１５に固定されている。
【００１０】
上記構成のフィルタ式空気清浄機２００にあっては、送風ファン２５１がモータ２５２によって回転駆動されることにより、ケーシング２１０と前面パネル２３０との間の隙間から吸込口２２１を介してケーシング２１０内部の前方空間２２２に空気が取り込まれる。取り込まれた空気は、フィルタ組品２４０を通過する際に塵や埃、臭い等が除去され、仕切り板２１５に設けられた連通孔２２３を介して後方空間２２４へと導入される。後方空間２２４内に流入した空気は、送風ファン２５１によって吹出口２２５から室内へと吹き出される。これにより、室内の空気の清浄化が行なわれる。なお、図１９においては、空気の流れを矢印にて示している。
【００１１】
このような構成の空気清浄機にあっては、定期的にフィルタに付着した塵や埃を除去するメンテナンス作業が必要になる。このメンテナンス作業は、フィルタをケーシングから取り外し、水洗いや掃除機による吸引等によって洗浄することによって行なわれる。上述の構成のフィルタ式空気清浄機２００にあっては、前面パネル２３０をケーシング２１０から取り外すことにより、容易に吸込口２２１を通してフィルタ組品２４０を取り出すことが可能である。
【００１２】
また、このような構成の空気清浄機にあっては、長期間の使用等により送風ファンに異常が発生した場合や送風ファンを駆動するモータに異常が発生した場合に、送風ファンやモータの修理／交換が必要になる場合がある。また、必要に応じて定期的に点検等が実施される場合もある。
【００１３】
図２０は、図１８に示す空気清浄機において、前面パネルとフィルタ組品とを外した状態を示す概略斜視図である。図２０に示すように、前面パネル２３０とフィルタ組品２４０とをケーシング２１０から取り外した状態においては、ケーシング２１０の内部に位置する仕切り板２１５は露出するものの、その後方に位置する送風ファン２５１やモータ２５２は取り外すことはできなかった。このため、別途ケーシング２１０を分解した上で送風ファン２５１やモータ２５２のメンテナンスをする必要があった。
【００１４】
以上において説明したように、従来の空気清浄機においては、フィルタの洗浄作業に対しては、作業性が改善されるように空気清浄機の構造に工夫が施されているものの、送風ファンやモータ等の修理／交換といったメンテナンス作業が容易になるようには、何ら改良が施されていなかった。
【００１５】
この他にも、フィルタの取り外し作業が容易に行えるように工夫された空気調節装置として、特開平２−１０７３０９号公報（特許文献３）に開示の空気清浄機や特開平６−１０９２７６号公報（特許文献４）に開示の空気調和機がある。
【００１６】
特許文献３に開示の空気清浄機は、吸込口と吹出口とを備えた装置本体の吸込口に対向するように配置されたフィルタを、装置本体の上下左右方向のいずれか２方向から引き出し可能となるように構成された空気清浄機であり、フィルタの取り外し作業が容易に行えるように工夫されている。しかしながら、この構成では、送風ファンやモータ等をメンテナンスする作業が必要になった場合には装置本体を分解することが必要になり、送風ファンやモータ等のメンテナンス作業の容易化は実現されていない。
【００１７】
また、特許文献４に開示の空気調和機は、天井裏に装置本体の大部分が据え付けられたインプラント型の空気調和機であって、室内に面する吸込グリルが中央部にて分割されており、分割された左右一対の吸込グリルがそれぞれ装置本体の表面において折り畳まれてスライド移動するように構成されている。このように構成することにより、空気調和機内部に収容されるフィルタのメンテナンス作業が容易に行えるように工夫されている。しかしながら、このような構成を採用した場合にも、送風ファンやモータ等をメンテナンスする作業が必要になった場合には装置本体を分解することがやはり必要になり、送風ファンやモータ等のメンテナンス作業の容易化は実現されていない。
【００１８】
このように、従来の空気調節装置においては、送風ファンやモータ等のメンテナンス作業が容易に行なえるように工夫された空気調節装置は存在していなかった。
【特許文献１】特開平１１−９４２８２号公報
【特許文献２】特開２００２−１０２３２７号公報
【特許文献３】特開平２−１０７３０９号公報
【特許文献４】特開平６−１０９２７６号公報
【発明の開示】
【発明が解決しようとする課題】
【００１９】
そこで、本発明は、上述の問題を解決すべくなされたものであり、送風ファンや送風ファンを駆動するモータ等の内部構成品をメンテナンスする作業が容易に行なえる空気調節装置を提供することを目的とし、より具体的には、メンテナンス作業が容易に行えるように工夫された装置構造と、作業者の利便性を考慮した前面パネルの取り付け構造とを提供することを目的としている。
【課題を解決するための手段】
【００２０】
本発明の第１の局面に基づく空気調節装置は、前面に第１開口部を有するケーシングと、このケーシングの内部に配置され、通過する空気を清浄化するフィルタと、ケーシングの内部において、第１開口部から見てフィルタよりも後方に配置された送風ファンとを備える。また本空気調節装置は、フィルタと送風ファンとの間に配置され、ケーシングの内部を前方空間と後方空間とに分割するとともに、送風ファンに対向する位置に前方空間と後方空間とを連通する連通孔が設けられてなる仕切り板をさらに備える。そして、仕切り板が、第１開口部を通じて着脱可能に構成されている。
【００２１】
このように構成することにより、ケーシングを分解することなく仕切り板が取り外せるようになるため、ケーシング内部の後方空間に配置された送風ファンやモータ等の各種内部構成品を容易にメンテナンスすることができるようになる。
【００２２】
上記本発明の第１の局面に基づく空気調節装置にあっては、仕切り板が、送風ファンに対向する位置に設けられた第２開口部と、この第２開口部を覆うように前方から取り付けられるファンガードとを有していることが好ましい。また、上記連通孔がファンガードに設けられていることが好ましい。
【００２３】
このように構成することにより、仕切り板全体を取り外すことなくファンガードのみを取り外すことができるようになるため、連通孔の目詰まり等を容易に解消することが可能になる。
【００２４】
上記本発明の第１の局面に基づく空気調節装置にあっては、送風ファンが第１開口部を通じて着脱可能となっていることが好ましい。
【００２５】
このように構成することにより、ケーシングを分解することなく、送風ファンをケーシングから取り外すことが可能になるため、送風ファンの清掃、修理、交換といったメンテナンス作業が容易に行なえるようになる。
【００２６】
上記本発明の第１の局面に基づく空気調節装置にあっては、送風ファンを駆動するための駆動源をケーシング内部にさらに備え、この駆動源が第１開口部を通じで着脱可能となっていることが好ましい。
【００２７】
このように構成することにより、ケーシングを分解することなく、駆動源をケーシングから取り外すことが可能になるため、駆動源の清掃、修理、交換といったメンテナンス作業が容易に行なえるようになる。
【００２８】
上記本発明の第１の局面に基づく空気調節装置にあっては、後方空間に配置され、後方空間を通過する空気に向かってイオンを放出するイオン発生装置をさらに備えていることが好ましい。また、この場合、イオン発生装置が第１開口部を通じで着脱可能となっていることが好ましい。
【００２９】
このように構成することにより、ケーシングを分解することなく、イオン発生装置をケーシングから取り外すことが可能になるため、イオン発生装置の清掃、修理、交換といったメンテナンス作業が容易に行なえるようになる。
【００３０】
上記本発明の第１の局面に基づく空気調節装置にあっては、仕切り板がイオン発生装置に対向する位置に設けられた第３開口部を有していることが好ましく、また、この第３開口部を覆うように、仕切り板に前方からカバーが取り付けられていることが好ましい。
【００３１】
このように構成することにより、仕切り板全体を取り外すことなくイオン発生装置のみを取り外すことができるようになるため、イオン発生装置の清掃、修理、交換といったメンテナンス作業がさらに容易に行なえるようになる。
【００３２】
本発明の第２の局面に基づく空気調節装置は、前面に第１開口部を有するケーシングと、このケーシングの内部に配置され、通過する空気を清浄化するフィルタと、ケーシングの前面に着脱自在に取り付けられる前面パネルとを備える。そして、前面パネルは、前面パネルをケーシングに装着した状態において第１開口部を閉塞し、前面パネルをケーシングから取り外した状態において第１開口部を開放するように設けられている。本空気調節装置は、前面パネルをケーシングから取り外した状態において、前面パネルをケーシングに掛止することが可能な掛止手段をさらに備える。
【００３３】
このように構成することにより、空気調節装置を壁面等の高所に設置した場合にも、メンテナンス作業時にケーシングから取り外した前面パネルをケーシングに掛止させておくことが可能になるため、作業性が非常に向上するようになる。
【００３４】
上記本発明の第２の局面に基づく空気調節装置にあっては、上記掛止手段が、ケーシングの前面に設けられた掛止部と、前面パネルの裏面に設けられた被掛止部とからなることが好ましい。
【００３５】
このように構成することにより、簡便な構成にて前面パネルをケーシングに掛止する構造が実現されるようになる。
【００３６】
上記本発明の第２の局面に基づく空気調節装置にあっては、上記被掛止部は、前面パネル対して回動自在に組み付けられていることが好ましい。
【００３７】
このように構成することにより、ケーシングに前面パネルを取り付けた状態において被掛止部が前面パネルの裏面に隠れるようになるため、外観上の美観が損なわれることもなくなる。
【発明の効果】
【００３８】
本発明によれば、送風ファンや送風ファンを駆動するモータ等の内部構成品をメンテナンスする作業が容易に行なえるようになり、メンテナンス作業者の利便性に資するようになる。
【発明を実施するための最良の形態】
【００３９】
以下、本発明の実施の形態について、図を参照して説明する。
【００４０】
（実施の形態１）
本実施の形態においては、空気調節装置として空気清浄機能のみを有する空気清浄機を例示して説明を行なう。
【００４１】
（空気清浄機の外観構造）
図１は、本発明の実施の形態１における空気清浄機を前面側から見た概略斜視図であり、図２は、背面側から見た概略斜視図である。また、図３は、図１に示す空気清浄機のＩＩＩ−ＩＩＩ線に沿った概略縦断面図である。
【００４２】
まず、図１ないし図３を参照して、本実施の形態における空気清浄機の外観構造について説明する。図１および図３に示すように、本実施の形態における空気清浄機１００Ａは、ケーシング１１０と、前面パネル１３０とを備えている。ケーシング１１０は、横長の前面開口の箱体からなり、内部に空気清浄機１００Ａの主要部が納められている。図３に示すように、前面パネル１３０は、ケーシング１１０の前面１１１に設けられた第１開口部としての吸込口１２１を覆うように、ケーシング１１０の前面１１１に着脱自在に取り付けられている。前面パネル１３０は、装置の動作時において送風ファンやモータにて発生する騒音が外部に漏れ出さないようにするための遮音部材として組付けられるものであり、同時に装置の外観上の美観を確保するものでもある。
【００４３】
図１ないし図３に示すように、ケーシング１１０の上面１１２には、吹出口１２５が設けられている。空気清浄機１００Ａにて清浄化された空気は、この吹出口１２５から室内へと送風される。また、図１に示すように、ケーシング１１０の側面１１４には、空気清浄機１００Ａの動作を切換えるための操作部１８１が配置されており、前面パネル１３０の所定位置には、空気清浄機１００Ａの動作状態等を表示するための表示部１８２が配置されている。
【００４４】
図２に示すように、ケーシング１１０の背面１１３には、整列して設けられた複数の突条部１１７が位置している。また、ケーシング１１０の背面１１３の所定位置からは、空気清浄機１００Ａを動作させるために必要な電力の供給を受けるための電源コード１９１が引き出されており、その先端には電源プラグ１９２が形成されている。
【００４５】
（空気清浄機の内部構造）
次に、図３を参照して、本実施の形態における空気清浄機の内部構造について説明する。図３に示すように、ケーシング１１０の内部には、仕切り板１１５が位置している。ケーシング１１０の内部空間は、この仕切り板１１５によって前方空間１２２と後方空間１２４とに分割されている。仕切り板１１５には、前方空間１２２と後方空間１２４とを連通する連通孔１２３が設けられている。なお、仕切り板１１５は、装置内部に取り込まれた空気の流路である通風路を形成するために、ケーシング１１０内に設けられる板状部材である。
【００４６】
吸込口１２１の後方でかつ仕切り板１１５の前方に位置する前方空間１２２には、各種のフィルタが積層保持されたフィルタ組品１４０が配置されている。仕切り板１１５の後方でかつケーシング１１０の背面１１３の前方に位置する後方空間１２４には、送風ファン１５１と、この送風ファン１５１を駆動する駆動源としてのモータ１５２が配置されている。送風ファン１５１は、モータ１５２の回転軸にビス等によって固定されている。モータ１５２はアングル等によってケーシング１１０の背面１１３に固定されている。なお、上述の連通孔１２３は、仕切り板１１５の送風ファン１５１と対向する部分に位置している。
【００４７】
ケーシング１１０の上面でかつ後方空間１２４の上部に対応する位置には、吹出口１２５が位置しており、この吹出口１２５には、空気清浄機１００Ａから送風される空気の風向きを整えるルーバ１１６が設けられている。なお、図３においては図示を省略しているが、ケーシング１１０の後方空間１２４内には、負イオンおよび／または正イオンを後方空間１２４内を通過する空気に対して放出するイオン発生装置１７０が配置されている（図１６参照）。
【００４８】
なお、イオン発生装置においては、イオン発生素子に設けられた電極間に交流電圧を印加することにより、空気中の酸素ないしは水分が電離によりエネルギーを受けてイオン化し、Ｈ+（Ｈ2Ｏ）m（ｍは任意の自然数）とＯ2-（Ｈ2Ｏ）n（ｎは任意の自然数）を主体としたイオンを生成する。本空気清浄機においては、これらを送風ファンにより空間に放出させる。
【００４９】
これらＨ+（Ｈ2Ｏ）m及びＯ2-（Ｈ2Ｏ）nは、浮遊菌の表面に付着し、下記式（１）〜式（３）に示すように化学反応して、活性種である過酸化水素（Ｈ2Ｏ2）または水酸基ラジカル（・ＯＨ）を生成する。Ｈ2Ｏ2または・ＯＨは、極めて強力な活性を示すため、これらにより、空気中のカビや微生物等の浮遊菌を取り囲んで殺菌することができる。
【００５０】
【化１】
2005076904.tif 000003
【００５１】
これにより、活性種の分解作用によって浮遊菌が破壊される。従って、効率的に空気中の浮遊菌を殺菌することができる。本空気清浄機においては、以上のメカニズムにより、浮遊菌等の殺菌効果を得ることができる。
【００５２】
また、上記式（１）〜式（３）は、空気中の有害物質表面でも同様の作用を生じさせることができるため、活性種である過酸化水素（Ｈ2Ｏ2）または水酸基ラジカル（・ＯＨ）が、有害物質を酸化若しくは分解して、ホルムアルデヒドやアンモニアなどの化学物質を、二酸化炭素や、水、窒素などの無害な物質に変換することにより、実質的に無害化することが可能である。
【００５３】
その他、正イオンと負イオンには、コクサッキーウィルス、ポリオウィルス、などのウィルス類も不活化する働きがあり、これらウィルスの混入による汚染が防止できる。また、正イオンと負イオンには、臭いのもととなる分子を分解する働きがあることも確かめられており、空間の脱臭にも利用できる。
【００５４】
（フィルタの構成）
図４は、本実施の形態における空気清浄機のフィルタの構成を示す模式図である。図４に示すように、各種フィルタは、前後方向に積層して配置された状態でフィルタ保持枠１４４によって保持され、空気清浄機１００Ａの前方空間１２２に配置される。本実施の形態における空気清浄機１００Ａにあっては、上記各種フィルタは、上流から順に、プレフィルタ１４１、脱臭フィルタ１４２、集塵フィルタ１４３の順で配置されている。
【００５５】
ここで、プレフィルタ１４１は、合成繊維等の細線を平織りすることによって形成されたフィルタであり、綿埃などの比較的大きい埃を捕獲する。脱臭フィルタ１４２は、活性炭などの脱臭機能を有する物質が内包されたフィルタであり、臭気成分を吸着することにより脱臭機能を発揮する。集塵フィルタ１４３には、たとえばＨＥＰＡフィルタが用いられ、空気中に含まれる細かい粒径の微粒子を捕獲する。なお、この集塵フィルタには、制菌機能を付加することも可能であり、このように構成した場合には、集塵フィルタ１４３に付着した細菌の繁殖を抑えることが可能である。
【００５６】
（空気清浄機の動作）
次に、図３を参照して、上記構成の空気清浄機の動作について説明する。上記構成の空気清浄機１００Ａにあっては、送風ファン１５１がモータ１５２によって回転駆動されることにより、ケーシング１１０と前面パネル１３０との間の隙間から吸込口１２１を介してケーシング１１０内部の前方空間１２２に空気が取り込まれる。取り込まれた空気は、フィルタ組品１４０を通過する際に塵や埃、臭い等が除去され、仕切り板１１５に設けられた連通孔１２３を介して後方空間１２４内へと導入される。後方空間１２４内に流入した空気には、イオン発生装置１７０によって所定濃度の負イオンまたは／および正イオンが付加され、送風ファン１５１によって吹出口１２５から室内へと送風される。これにより、室内の空気の清浄化が行なわれる。なお、図３においては、空気の流れを矢印にて示している。
【００５７】
（空気清浄機の設置）
図５は、本実施の形態における空気清浄機を室内の壁面に設置した場合を示す模式図であり、図６は、室内の床面に設置した場合を示す模式図である。図５および図６に示すように、本実施の形態における空気清浄機１００Ａは、室内の壁面３００にアングル等を用いて取り付けるいわゆる「壁掛け式」の空気清浄機と、床面４００上や卓上にスタンド１９３を用いて設置するいわゆる「据置き式」の空気清浄機の兼用タイプである。したがって、ユーザの用途や室内の設置スペース等にあわせて適宜設置場所を変更することが可能である。
【００５８】
このように本実施の形態における空気清浄機１００Ａは、「壁掛け式」の空気清浄機としても用いられるように設計されているため、「壁掛け式」の空気清浄機として設置された場合にも取扱い性に優れたものとなるように種々の工夫が施されている。以下においては、これら工夫点について詳細に説明する。
【００５９】
（操作部および表示部の配置）
図７は、本実施の形態における空気清浄機の操作部および表示部の拡大図である。図７に示すように、本実施の形態における空気清浄機１００Ａにあっては、操作部１８１がケーシング１１０の側面１１４に設けられている。図示する空気清浄機１００Ａにあっては、操作部１８１は、電源のオン／オフを切換える電源ボタン１８１ａと、運転動作を「自動運転」、「通常運転」、「強運転」に切換える運転切換えボタン１８１ｂと、所定時間動作後に自動的に電源をオフに切換える切タイマーボタン１８１ｃとによって構成されている。また、表示部１８２は、前面パネル１３０に設けられており、空気清浄機１００Ａの運転動作を表示する表示ランプや、切タイマーの設定時間を表示する表示ランプ、イオン発生装置１７０の動作のオン／オフを表示する表示ランプ等によって構成されている。
【００６０】
本実施の形態における空気清浄機１００Ａにあっては、「壁掛け式」の空気清浄機としても「据置き式」の空気清浄機としても設置されることを考慮して、上述の如く操作部１８１をケーシング１１０の側面１１４に配置し、表示部１８２を前面パネル１３０に配置している。これにより、「壁掛け」にした場合にも「据置き」にした場合にも操作性が損なわれることがなくなるとともに表示部の視認も確実に行なえるようになる。
【００６１】
（電源コードの長さ調節）
図８および図９は、本実施の形態における空気清浄機において、電源コードの長さを調節する方法を示す模式図である。図８および図９に示すように、本実施の形態における空気清浄機１００Ａにおいては、ケーシング１１０の背面１１３から引き出された電源コード１９１をケーシング１１０の背面１１３に突出形成された突条部１１７に巻き付けることにより、電源コード１９１の長さを適当な長さに調節することができるように構成されている。すなわち、ケーシング１１０の背面１１３には、同一方向に並行して設けられた一対の突条部１１７が複数組整列して設けられており、この並行して設けられた一対の突条部１１７によって挟持されるように電源コード１９１を巻き付けることにより、空気清浄機１００Ａの背面から引き出される電源コード１９１の長さが調節される。
【００６２】
電源コードは、空気清浄機の設置位置とコンセントとの距離に対応した長さであることが好ましく、設置状態において余剰部分が可能な限り少なくなるように構成されることが好ましい。しかしながら、ユーザが適宜設置位置を選択できるようにするためには、電源コードの長さはある程度余裕をもった長さに設定しておくことが必要であり、通常は１ｍ程度以上の長さに設定される。このため、空気清浄機１００Ａを「壁掛け式」として用いた場合には、電源コード１９１の余剰部分が壁面に垂れ下がることがないように、電源コード１９１の長さを調節する必要がある。また、空気清浄機１００Ａを「据置き式」として用いた場合には、電源コード１９１の余剰部分が床面を蛇行し邪魔とならないように、電源コード１９１の長さが適宜調節されることが好ましい。
【００６３】
以上に鑑み、本実施の形態における空気清浄機１００Ａにおいては、電源コード１９１を挟持する一対の突条部１１７を複数組、ケーシング１１０の背面１１３に設けることにより、電源コード１９１の長さが適宜調節されるように構成している。なお、図８に示す如く電源コード１９１を突条部１１７に巻き付けた場合には、電源プラグ１９２が空気清浄機１００Ａのケーシング１１０の右側後方から引き出されるようになり、また、図９に示す如く電源コード１９１を突条部１１７に巻き付けた場合には、電源プラグ１９２が空気清浄機１００Ａのケーシング１１０の左側後方から引き出されるようになる。
【００６４】
（メンテナンス作業）
空気清浄機においては、定期的にフィルタを洗浄する必要がある。また、汚れがひどい場合には、フィルタを交換することも必要になる。「据置き式」の空気清浄機においては、フィルタの取り外し作業は比較的容易に行なえるが、「壁掛け式」の空気清浄機においては、空気清浄機が室内の壁面の高所に設置されるため、脚立等を用いてフィルタを取り外す必要がある。このため、作業者が脚立から落下したり、脚立ごと転倒したりする危険性があるため、フィルタの取り外し作業は簡便であることが好ましい。このため、本実施の形態における空気清浄機においては、フィルタの取り外し作業を容易とすべく、取り外した前面パネルがケーシングに掛止可能となるように掛止手段が設けられている。以下、この掛止手段の構成を説明するとともに、この掛止手段を用いたフィルタの取り外し作業および送風ファンやモータ等のメンテナンス作業の手順について詳細に説明する。
【００６５】
（Ａ．掛止手段）
図１０は、本実施の形態における空気清浄機のケーシングの前面に設けられた掛止部の構造示す図である。また、図１１は、本実施の形態における空気清浄機の前面パネルに設けられた被掛止部の構造を示す図である。ここで、図１１（ａ）は、被掛止部が前面パネルに収容された状態を示す図であり、図１１（ｂ）は、被掛止部を回動させた状態を示す図である。
【００６６】
図１０に示すように、本実施の形態における空気清浄機１００Ａは、ケーシング１１０の前面下部に掛止部１１９を有している。掛止部１１９は、ケーシング１１０の前面から前方に向かって突出し、さらにその先端は上方に向かって湾曲している。図示する空気清浄機１００Ａにおいては、掛止部１１９は、左右に一対設けられている。
【００６７】
図１１（ａ）に示すように、本実施の形態における空気清浄機１００Ａは、前面パネル１３０の裏面の所定位置に軸受け部１３１を有している。軸受け部１３１は左右に一対設けられており、この軸受け部１３１に被掛止部としての線材１３２が取り付けられている。線材１３２は、軸受け部１３１によって軸支されることにより、回動自在に取り付けられている。なお、図１１（ａ）に示すように、線材１３２が前面パネル１３０に収容された状態においては、線材１３２は、ストッパ１３３によって回動不能に固定されている。
【００６８】
図１１（ｂ）に示すように、ストッパ１３３による線材１３２の固定を解除した状態においては、線材１３２は軸受け部１３１を回動軸の基点として略１８０度回動する。線材１３２を略１８０度回動させた状態においては、線材１３２の一部が前面パネル１３０の上方に飛び出した位置にまで達するようになる。
【００６９】
本実施の形態において掛止手段は、上述の掛止部１１９と被掛止部としての線材１３２とによって構成されている。具体的には、線材１３２を回動させた図１１（ｂ）の状態において、被掛止部としての線材１３２をケーシング１１０の掛止部１１９に引っ掛けることにより、前面パネル１３０がケーシング１１０に掛止されるようになる。なお、ここで言う「掛止」とは、前面パネル１３０を一旦ケーシング１１０から完全に取り外し、その後前面パネル１３０をケーシング１１０に引っ掛けることによって吸込口１２１を開放することを言うものであり、前面パネル１３０を完全に取り外すことなく、スライドさせたり開閉させたりすることによって吸込口１２１を開放するように構成されたものを除外するものである。
【００７０】
（Ｂ．フィルタの取り外し作業）
上述の掛止手段は、フィルタの洗浄作業や、送風ファンおよびモータ等の修理保全作業といったメンテナンス作業時に、作業者の利便性に資するように考慮して設けられたものである。以下においては、フィルタの取り外し作業の作業手順について説明するとともに、上記掛止手段の利用方法について説明する。
【００７１】
図１２ないし図１４は、フィルタ組品の取り外し作業を示す第１ないし第３作業図である。以下、これらの図を参照して、フィルタ組品の取り外し作業について順を追って説明する。
【００７２】
まず、図１２に示すように、壁面に設置された空気清浄機１００Ａの前面パネル１３０をケーシング１１０から取り外す。次に、図１３に示すように、前面パネル１３０の裏面に組付けられた線材１３２を回動させて図１１（ｂ）に示した回動状態とし、ケーシング１１０の前面１１１の下部に設けられた掛止部１１９に線材１３２を引っ掛ける。そして、図１４に示すように、フィルタ組品１４０のフィルタ保持枠１４４に設けられた摘み部１４４ａを指先で挟み持ち、手前側（図中、矢印方向）に向かってフィルタ組品１４０を引き出す。これにより、簡便にフィルタ組品１４０を空気清浄機１００Ａのケーシング１１０から取り外すことができ、フィルタの洗浄が行なえるようになる。
【００７３】
一般に、壁掛け式の空気清浄機は室内の高所に設置されるため、作業者は脚立等を用いてメンテナンス作業を行なう場合が多い。脚立の上に作業者が乗った状態で前面パネルを取り外した場合には、取り外した前面パネルをどこかに置く必要がある。上述の掛止手段を有さない空気清浄機にあっては、作業者が前面パネルを抱えた状態で脚立から降り、床等に前面パネルを置いた後に再度脚立に上る必要がある。このため、非常に手間のかかるものであった。しかし、本実施の形態の如くの構造を採用することにより、脚立を上り下りする手間が省けるようになるため、作業の利便性が飛躍的に向上する。
【００７４】
また、前面パネルを空気清浄機のケーシングにスライド自在に取り付けたり、観音開き状に開閉自在に組付けたり、種々の開閉機構を設けることも考えられるが、空気清浄機を室内の壁面の四隅近傍に設置した場合等には、スライドまたは開放した前面パネルが壁面と接触することによって開閉が不完全となり、作業が行なえなくなることも想定される。また、脚立の上に乗った状態で前面パネルをスライドさせたり、開閉したりする作業は、作業者に無理な体勢を強いることにもなり、危険を伴うため、あまり好ましい解決策とは言えない。これに対し、本実施の形態における空気清浄機にあっては、空気清浄機が室内の壁面の四隅近傍に設置されている場合にも確実に作業が行なえ、また、作業者に無理な体勢強いることもないため、作業が安全かつ迅速に行なえるようになる。
【００７５】
（Ｃ．内部構成品のメンテナンス作業）
次に、空気清浄機の後方空間に配置された送風ファンやモータ等の内部構成品の組付け構造について説明するとともに、これら内部構成品のメンテナンス作業の作業手順について説明する。
【００７６】
図１５は、本実施の形態における空気清浄機において、フィルタ組品を取り外した状態を示す概略斜視図である。図１５に示すように、空気清浄機１００Ａのケーシング１１０から前面パネル１３０を取り外し、さらにフィルタ組品１４０を取り外した状態においては、仕切り板１１５がケーシング１１０の前面１１１に位置する吸込口１２１を介して露出した状態となっている。この状態において仕切り板１１５は、ビス１９６によってケーシング１１０に固定されている。
【００７７】
図１６は、本実施の形態における空気清浄機の分解斜視図である。図１６に示すように、空気清浄機１００Ａのケーシング１１０内部の背面１１３には、送風ファン１５１や、モータ１５２、イオン発生装置１７０等が取り付けられている。そしてこれら内部構成品を覆い隠すように、仕切り板１１５がビス１９６によってケーシング１１０に固定されている。なお、仕切り板１１５を取り外した状態において、送風ファン１５１、モータ１５２およびイオン発生装置１７０等の内部構成品は露出しており、ケーシング１１０の吸込口１２１を通じて取り外しが可能である。
【００７８】
したがって、上述のフィルタ組品１４０のメンテナンス作業と同様の手順にてフィルタ組品１４０をケーシング１１０から取り外した後、ドライバを用いてケーシング１１０の吸込口１２１を通じて仕切り板１１５を取り外すことにより、吸込口１２１を通じて送風ファン１５１やモータ１５２、イオン発生装置１７０のメンテナンス作業を実施することが可能になる。また、必要に応じて、送風ファン１５１やモータ１５２、イオン発生装置１７０を吸込口１２１を通じて取り外し、メンテナンスすることも可能である。
【００７９】
このように、本実施の形態における空気清浄機１００Ａにあっては、ケーシング１１０を分解することなく、送風ファン１５１やモータ１５２、イオン発生装置１７０等の修理、交換および点検等のメンテナンス作業が行なえる。また、空気清浄機１００Ａを壁面に設置した状態のまま、上記メンテナンス作業が行なえるため、メンテナンス作業者の負担を軽減することが可能である。
【００８０】
以上において説明したように、本実施の形態における空気清浄機にあっては、「壁掛け式」の空気清浄機として好適な空気清浄機となるように種々の工夫が施されており、特にメンテナンス作業が容易に行えるように配慮されている。このため、一般家庭やホテルの客室、病院の病室等に設置する空気清浄機として、利便性に優れた空気清浄機となっている。
【００８１】
（実施の形態２）
本実施の形態における空気調整装置は、上述の実施の形態１において示した空気清浄機と同様に、空気清浄機能のみを有する空気清浄機である。
【００８２】
図１７は、本発明の実施の形態２における空気清浄機の分解斜視図である。なお、上述の実施の形態１と同様の部分については図中同じ番号を付し、その説明はここでは繰り返さない。
【００８３】
図１７に示すように、本実施の形態における空気清浄機１００Ｂにあっては、仕切り板１１５に第２開口部としての連通口１１８ａと第３開口部としてのメンテナンス用窓１１８ｂとが設けられている。連通口１１８ａは、仕切り板１１５の送風ファン１５１に対向した位置に設けられている。また、メンテナンス用窓１１８ｂは、仕切り板１１５のイオン発生装置１７０に対向した位置に設けられている。
【００８４】
仕切り板１１５には、連通口１１８ａを覆うように前方からファンガード１６１がビス１９７によって取り付けられる。ファンガード１６１は、ケーシング１１０の前方空間１２２と後方空間１２４とを連通する連通孔１２３が設けられている。また、仕切り板１１５には、メンテナンス用窓１１８ｂを覆うように前方からカバー１６３がビス１９８によって取り付けられる。
【００８５】
以上の構成とすることにより、仕切り板１１５全体を取り外すことなく、送風ファン１５１およびモータ１５２と、イオン発生装置１７０とを別々に独立してメンテナンスすることが可能になる。このように構成することにより、大型の仕切り板を取り外す作業が不要になるため、さらに作業の容易化が図られるようになる。
【００８６】
具体的には、フィルタ組品１４０を取り外した状態において、吸込口１２１を通じてファンガード１６１を取り外すことにより、仕切り板１１５に設けられた連通口１１８ａを介して送風ファン１５１およびモータ１５２をメンテナンスすることが可能になる。また、同様にフィルタ組品１４０を取り外した状態において、吸込口１２１を通じてカバー１６３を取り外すことにより、仕切り板１１５に設けられたメンテナンス用窓１１８ｂを介してイオン発生装置１７０をメンテナンスすることが可能になる。
【００８７】
なお、上述の実施の形態１および２においては、空気調節装置として空気清浄機を例示して説明を行なったが、本発明は空気清浄機に限定されるものではない。本発明において空気調節装置とは、装置外部から空気を装置内部へと導入し、導入した空気を清浄化する処理を施した上で装置外部へと送出する装置全般を指すものである。たとえば、上述の空気清浄機以外にも、空気調和機、除湿機、加湿器、建築物用の空調ダクト等を含むものである。
【００８８】
このように、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００８９】
【図１】本発明の実施の形態１における空気清浄機を前面側から見た概略斜視図である。
【図２】本発明の実施の形態１における空気清浄機を背面側から見た概略斜視図である。
【図３】図１に示す空気清浄機のＩＩＩ−ＩＩＩ線に沿った概略縦断面図である。
【図４】本発明の実施の形態１における空気清浄機のフィルタの構成を示す模式図である。
【図５】本発明の実施の形態１における空気清浄機を室内の壁面に設置した場合を示す模式図である。
【図６】本発明の実施の形態１における空気清浄機を室内の床面に設置した場合を示す模式図である。
【図７】本発明の実施の形態１における空気清浄機の操作部および表示部の拡大図である。
【図８】本発明の実施の形態１における空気清浄機において、電源コードの長さ調節の仕方を示す模式図である。
【図９】本発明の実施の形態１における空気清浄機において、電源コードの長さ調節の仕方を示す模式図である。
【図１０】本発明の実施の形態１における空気清浄機のケーシングの前面に設けられた掛止部の構造を示す図である。
【図１１】本発明の実施の形態１における空気清浄機の前面パネルに設けられた被掛止部の構造を示す図である。
【図１２】本発明の実施の形態１における空気清浄機において、フィルタの取り外し作業を示す第１作業図である。
【図１３】本発明の実施の形態１における空気清浄機において、フィルタの取り外し作業を示す第２作業図である。
【図１４】本発明の実施の形態１における空気清浄機において、フィルタの取り外し作業を示す第３作業図である。
【図１５】本発明の実施の形態１における空気清浄機において、フィルタ組品を取り外した状態を示す概略斜視図である。
【図１６】本発明の実施の形態１における空気清浄機の分解斜視図である。
【図１７】本発明の実施の形態２における空気清浄機の分解斜視図である。
【図１８】従来のフィルタ式の空気清浄機を前面側から見た概略斜視図である。
【図１９】図１８に示す従来のフィルタ式空気清浄機のＸＩＸ−ＸＩＸ線に沿った概略縦断面図である。
【図２０】図１８に示す従来のフィルタ式空気清浄機において、前面パネルおよびフィルタ組品を取り外した状態を示す装置本体の概略斜視図である。
【符号の説明】
【００９０】
１００Ａ，１００Ｂ  空気清浄機、１１０  ケーシング、１１１  前面、１１２  上面、１１３  背面、１１４  側面、１１５  仕切り板、１１６  ルーバ、１１７  突条部、１１８ａ  連通口（第２開口部）、１１８ｂ  メンテナンス用窓（第３開口部）、１１９  掛止部、１２１  吸込口（第１開口部）、１２２  前方空間、１２３  連通孔、１２４  後方空間、１２５  吹出口、１３０  前面パネル、１３１  軸受け部、１３２  線材、１３３  ストッパ、１４０  フィルタ組品、１４１  プレフィルタ、１４２  脱臭フィルタ、１４３  集塵フィルタ、１４４  フィルタ保持枠、１４４ａ  摘み部、１５１  送風ファン、１５２  モータ、１６１  ファンガード、１６３  カバー、１７０  イオン発生装置、１８１  操作部、１８１ａ  電源ボタン、１８１ｂ  運転切換えボタン、１８１ｃ  切タイマーボタン、１８２  表示部、１９１  電源コード、１９２  電源プラグ、１９３  スタンド、１９６〜１９８  ビス、３００  壁面、４００  床面。
【図１】
2005076904.tif 000004
【図２】
2005076904.tif 000005
【図３】
2005076904.tif 000006
【図４】
2005076904.tif 000007
【図５】
2005076904.tif 000008
【図６】
2005076904.tif 000009
【図７】
2005076904.tif 000010
【図８】
2005076904.tif 000011
【図９】
2005076904.tif 000012
【図１０】
2005076904.tif 000013
【図１１】
2005076904.tif 000014
【図１２】
2005076904.tif 000015
【図１３】
2005076904.tif 000016
【図１４】
2005076904.tif 000017
【図１５】
2005076904.tif 000018
【図１６】
2005076904.tif 000019
【図１７】
2005076904.tif 000020
【図１８】
2005076904.tif 000021
【図１９】
2005076904.tif 000022
【図２０】
2005076904.tif 000023